(57)【要約】【目的】車両用ドア内に上下方向に向けて固定したガイドレール；表裏の一方に、該ドアの開閉窓ガラスを固定し、他方に、ガイドレールに嵌まる摺動部を有するスライダを固定したスライダベース；及びスライダベースを昇降させる駆動ワイヤ；を有するワイヤ式ウィンドレギュレータにおいて、長期の使用によってもスライダがスライダベースから脱落するおそれのないレギュレータを得る。【構成】スライダを、上下方向に離間した少なくとも２箇所の固定部位で、スライダベースに固定した。【選択図】      図１０
2004204551.tif 000002
【特許請求の範囲】
【請求項１】
車両用ドア内に上下方向に向けて固定したガイドレール；
表裏の一方に、該ドアの開閉窓ガラスを固定し、他方に、上記ガイドレールに嵌まる摺動部を有するスライダを固定したスライダベース；及び
上記スライダベースを昇降させる駆動ワイヤ；
を有するワイヤ式ウィンドレギュレータにおいて、
上記スライダを、上下方向に離間した少なくとも２箇所の固定部位で、スライダベースに固定したことを特徴とするワイヤ式ウィンドレギュレータ。
【請求項２】
請求項１記載のワイヤ式ウィンドレギュレータにおいて、上記２箇所の固定部位は、スライダの摺動部の略中心をスライダベース固定するかしめピンと、該スライダの上下端部の少なくとも一方に形成したスライダベースに掛け止めるフック部とからなっているワイヤ式ウィンドレギュレータ。
【請求項３】
請求項２記載のワイヤ式ウィンドレギュレータにおいて、上記スライダは、上記摺動部とフック部とを接続する、スライダベースの表裏平面に直交する方向の補強リブを有しているワイヤ式ウィンドレギュレータ。
【請求項４】
請求項１乃至３のいずれか１項記載のワイヤ式ウィンドレギュレータにおいて、上記スライダは、その全体が合成樹脂の成形品からなっているワイヤ式ウィンドレギュレータ。
【発明の詳細な説明】
【０００１】
【技術分野】
本発明は、ワイヤ式ウィンドレギュレータに関し、特に開閉窓ガラスを固定するスライダベースをガイドレールに摺動自在に支持する支持構造に関する。
【０００２】
【従来技術及びその問題点】
ワイヤ式ウィンドレギュレータは一般に、開閉窓ガラスをスライダベースに固定し、このスライダベースに、ガイドレールに摺動自在に嵌まる摺動部を有するスライダを固定している。スライダベースは駆動ワイヤに結合され、駆動ワイヤを正逆に移動させることで窓ガラスの開閉が行われる。
【０００３】
このレギュレータでは、スライダベースの表裏の一方に窓ガラスを、他方にスライダを固定するのが普通である。従って、スライダベースに対するスライダの固定位置と、駆動ワイヤの結合位置とが、ドア厚み方向に異ならざるを得ない。このため、駆動ワイヤを介して窓ガラスを昇降させる際、ガイドレールに案内されているスライダにスライダベースから離れようとする力（モーメント）が加わり、長期の使用によりスライダがスライダベースから脱落するおそれがある。
【０００４】
【特許文献】
特開平３‐２２８９８７号公報
【０００５】
【発明の目的】
本発明は、以上の問題意識に基づき、スライダベースの表裏に窓ガラスとスライダを固定するワイヤ式ウィンドレギュレータにおいて、長期の使用によってもスライダがスライダベースから脱落するおそれのないレギュレータを得ることを目的とする。
【０００６】
【発明の概要】
本発明は、車両用ドア内に上下方向に向けて固定したガイドレール；表裏の一方に、該ドアの開閉窓ガラスを固定し、他方に、ガイドレールに嵌まる摺動部を有するスライダを固定したスライダベース；及びスライダベースを昇降させる駆動ワイヤ；を有するワイヤ式ウィンドレギュレータにおいて、スライダを、上下方向に離間した少なくとも２箇所の固定部位で、スライダベースに固定したことを特徴としている。
【０００７】
この２箇所の固定部位は、例えば、スライダの摺動部の略中心をスライダベース固定するかしめピンと、該スライダの上下端部の少なくとも一方に形成したスライダベースに掛け止めるフック部とから構成することができる。
【０００８】
スライダには、摺動部のスライダベース側に、チャンネル材からなるガイドレールの幅狭開口部内に位置するネック部を形成するのがよい。また、摺動部とフック部とを接続する、スライダベースの表裏平面に直交する方向の補強リブを設けることで、容易にその強度を高めることができる。このスライダは、その全体を合成樹脂の成形品から構成することができる。
【０００９】
本発明によれば、スライダベースに形成するスライダ支持面と、該スライダベースに対する駆動ワイヤの結合位置とをドアの厚み方向に大きく異ならせて設ける態様でも充分な強度でスライダをスライダベースに保持することができる。
【００１０】
【発明の実施の形態】
図示実施形態は、本発明をバックドア用のワイヤ式ウィンドレギュレータに適用した実施形態である。このワイヤ式ウインドレギュレータは、車両後部の左右いずれかの枢軸を中心に開閉されるバックドア（車両ドア）内に、図１に示すように、ドア幅方向に離隔させて固定した上下方向（縦方向）の一対のガイドレール１０を有し、この一対のガイドレール１０にはそれぞれ、その長手方向に摺動自在にしてスライダベース２０が案内されている。この左右のスライダベース２０には、その表裏の一方に窓ガラスＷが固定されており（図６、図７、図１０参照）、他方にガイドレール１０に摺動自在に嵌まるスライダ３０が固定されている。
【００１１】
左右のガイドレール１０の上下にはそれぞれ、上ブラケット１１と下ブラケット１２が溶接固定されている。上ブラケット１１にはそれぞれ、固定位置に軸１３ａでガイドプーリ（ワイヤガイド部材）１３が回転自在に支持されており、下ブラケット１２にはそれぞれ、固定位置に軸１４ａでガイドプーリ（ワイヤガイド部材）１４が回転自在に支持されている。ガイドプーリ１３と１４はそれぞれ、左右のガイドレール１０の内側位置に位置している。
【００１２】
左右のガイドレール１０の一方には、駆動ユニットブラケット１５が溶接固定されており、この駆動ユニットブラケット１５に、巻取ドラム１６ａとその駆動モータ１６ｂを有する正逆巻取駆動ユニット１６が固定されている。巻取ドラム１６ａには、巻取駆動ワイヤ（以下単に駆動ワイヤ）１７が巻回されており、巻取ドラム１６ａから出た駆動ワイヤ１７の一端部は、図１の左方のガイドレール１０の下方のガイドプーリ１４を経て左方のスライダベース２０に結合され、同じく巻取ドラム１６ａから出た駆動ワイヤ１７の他端部は右方のガイドレール１０の上方のガイドプーリ１３を経て右方のスライダベース２０に結合されている。また、別の接続駆動ワイヤ（以下単に駆動ワイヤ）１８の一端部は、図１の左方のガイドレール１０の上方のガイドプーリ１３を経て左方のスライダベース２０に結合され、他端部は右方のガイドレール１０の下方のガイドプーリ１４を経て右方のスライダベース２０に結合されている。すなわちこの実施形態では、駆動ワイヤ１７と１８が左右のガイドレール１０の間でＸ字状に交差している。
【００１３】
従って、駆動モータ１６ｂにより巻取ドラム１６ａが正逆に回転駆動されると、駆動ワイヤ１７が一方で巻取ドラム１６ａに巻き取られ、他方で巻取ドラム１６ａから繰り出される。その結果、左右のガイドレール１０に摺動自在に支持され、駆動ワイヤ１７と１８に結合されているスライダベース２０が同時に同方向に移動し、左右のスライダベース２０に固定されている窓ガラスＷが昇降する。なお、駆動ワイヤ１７は、一方のスライダベース２０から巻取ドラム１６ａに至る一本と、他方のスライダベース２０から巻取ドラム１６ａに至る一本との二本から構成するのが普通である。
【００１４】
駆動ワイヤ１７（１８）は、図８、図９、図１０に最もよく見られるように、そのスライダベース２０との接続端部に、駆動ワイヤ１７（１８）の延長方向と直交する金属又は金属と同等の材料からなる円柱状ニップル１９を有しており、円柱状ニップル１９にはその基部に、駆動ワイヤ１７（１８）の外囲を覆うワイヤ端部保護部１９ａが一体に形成されている。円柱状ニップル１９とワイヤ端部保護部１９ａは鋳込みにより一体に成形され、このワイヤ保護端部内に駆動ワイヤ１７（１８）を挿入し、該保護端部１９ａをかしめることで駆動ワイヤと一体化している。駆動ワイヤ１７（１８）は、左右の上ブラケット１１と下ブラケット１２の間においてはアウタケーシング（シース）１７ａ（１８ａ）に覆われており、このアウタケーシング１７ａ（１８ａ）の両端部には、上ブラケット１１（下ブラケット１２）（または駆動ユニットブラケット１５）に固定されるエンドブラケット１７ｂ（１８ｂ）が固定されている。すなわち、駆動ワイヤ１７（１８）は、スライダベース２０から上下の上ブラケット１１（下ブラケット１２）のエンドブラケット１７ｂ（１８ｂ）に至る部分のみが露出している。
【００１５】
左右のスライダベース２０は、実質的に同一（対称）形状である。このスライダベース２０は金属材料のプレス成形品からなるもので、図２、図１０に最もよく見られるように、ガイドレール１０を挟む左右方向の両端部に一対のガラス支持面２１を有している。この左右のガラス支持面２１には、窓ガラスＷを固定するためのボルト穴２１ａが形成されている。また、この左右のガラス支持面２１の間に位置させて、ガイドレール１０に向けて（窓ガラスＷの反対側に）突出させたスライダ支持面２２と、駆動ワイヤ１７（１８）に対応させて、スライダ支持面２２よりさらに窓ガラスＷの反対側に突出させたワイヤ支持部２３とが曲折形成されている。
【００１６】
ワイヤ支持部２３には、その上方から順に、上側ワイヤエンド保持部２４、樹脂ピース保持部２５及び下側ワイヤエンド保持部２６が形成されている。上側ワイヤエンド保持部２４は、図５、図１０に明らかなように、スライダベース２０をコ字状に曲折成形した一対の平行部分２４ａ、２４ｂを有し、平行部分２４ａには、円柱状ニップル１９の端部を挿入する完全支持穴２４ｃが形成され、平行部分２４ｂには、円柱状ニップル１９の端部を軸線と直交する横方向から挿入可能な開放支持穴２４ｄが形成されている。この上側ワイヤエンド保持部２４の完全支持穴２４ｃと開放支持穴２４ｄとの間には、下方からスライダベース２０に導かれる駆動ワイヤ１７または１８の先端の円柱状ニップル１９が支持される。
【００１７】
同様に、下側ワイヤエンド保持部２６は、スライダベース２０をコ字状に曲折成形した一対の平行部分２６ａ、２６ｂを有し、平行部分２６ａには、円柱状ニップル１９の端部を挿入する完全支持穴２６ｃが形成され、平行部分２６ｂには、円柱状ニップル１９の端部を軸線と直交する方向から挿入可能な開放支持穴２６ｄが形成されている。この下側ワイヤエンド保持部２６の完全支持穴２６ｃと開放支持穴２６ｄとの間には、上方からスライダベース２０に導かれる駆動ワイヤ１７または１８の先端の円柱状ニップル１９が支持される。つまり、駆動ワイヤ１７と１８は、ドアの厚み方向から見たとき、スライダベース２０部分（上側と下側のワイヤエンド保持部２４と２６の間）で交差する。上側ワイヤエンド保持部２４と下側ワイヤエンド保持部２６は、駆動ワイヤ１７と１８とが互いに接触することなく交差するように、窓ガラスＷの表裏平面と直交する方向に位置が異なっている。
【００１８】
スライダ支持面２２には、ガイドレール１０に摺動自在に嵌まるスライダ３０の固定穴２２ａが形成されている。スライダ３０は、図１０に最もよく示されるように、チャンネル材からなるガイドレール１０の幅狭開口部１０ａ（図７）に対応するネック部３１と、上端部にスライダ支持面２２の上端部に掛け止めるフック部３２を有しスライダ支持面２２に沿う延長部３３と、ガイドレール１０内に摺動自在に嵌まる摺動部３４とを一体に有する合成樹脂材料の成形品からなっている。摺動部３４は、そのガイドレール１０の内面との摺接部を一対の一部円筒面３４ａとしており、この一部円筒面３４ａが弾性変形してガイドレール１０との円滑な摺動を確保する。また、この摺動部３４の中心部には、ネック部３１に至るかしめピン穴３５が穿設されている。
【００１９】
このスライダ３０のかしめピン穴３５（かしめピン３６）とフック部３２とは上下方向に離隔していて、フック部３２がスライダベースの上端部に掛け止められ、かしめピン穴３５から固定穴２２ａに挿通したかしめピン３６がスライダベース２０にかしめられる。つまり、スライダ３０はフック部３２とかしめピン３６との上下方向に離間した２箇所でスライダベース２０に固定される。また、延長部３３は、摺動部３４とフック部３２を接続するもので、スライダベース２０の表裏平面と直交する方向の一対の補強リブとして形成されている。この一対の補強リブ３３は、左右方向の接続リブ３３ａで接続されている。これらの補強リブ（延長部）３３は、スライダ３０がスライダベース２０から脱落するのを確実に防ぐ作用をする。すなわち、スライダベース２０の表裏に窓ガラスＷとスライダ３０を固定するこの種（実施形態）のワイヤ式ウィンドレギュレータでは、スライダベース支持面２２（摺動部３４）とワイヤエンド保持部２４（２６）（及び摺動部３４と窓ガラスＷ）がオフセットしている結果、スライダ３０がスライダベース２０から離れようとする力が加わるため、長期の使用によりかしめピン３６にガタが生じてスライダ３０が脱落するおそれがあるが、フック部３２と延長部（補強リブ）３３は、この力に抗し、長期に渡りスライダ３０を安定させて支持する作用をする。スライダベース支持面２２とワイヤエンド保持部２４（２６）（駆動ワイヤ１７（１８）とのオフセット量ＯＳ１、ＯＳ２を図６に示した。
【００２０】
スライダベース２０の樹脂ピース保持部２５は、切り起こし片からなるもので、スライダ支持面２２に直交する部分２５ａと、平行をなす部分２５ｂとを有するＬ字形状をなしている。
【００２１】
この樹脂ピース保持部２５に支持されるワイヤガイドピース４０は、駆動ワイヤ１７と１８をスライダベース２０のどの部分にも接触させることなく保持する作用をするもので、表裏平面平行部分２５ｂを嵌合させる嵌合溝４１（図３、図５）と、表裏平面直交部分２５ａに当接する当付面４２（図３）とを有している。また、その外面には、軸線が窓ガラスＷの表裏平面と直交する方向の円筒状ワイヤ支持面４３が形成されており、この円筒状ワイヤ支持面４３の両端部に、外れ防止突起４４と傾斜保護面４５とが形成されている。傾斜保護面４５は、ガラス支持面２１からワイヤ支持部２３に至るスライダベース２０の傾斜面に沿って位置する。円筒状ワイヤ支持面４３と当付面４２（表裏平面直交部分２５ａ）との位置関係は、駆動ワイヤ１７と１８が円筒状ワイヤ支持面４３に当接する結果ワイヤガイドピース４０に与えられる力を表裏平面直交部分２５ａ（当付面４２）が受ける関係、つまり駆動ワイヤ１７、１８と表裏平面直交部分２５ａとの間にワイヤガイドピース４０が挟着される位置関係である。そして、表裏平面平行部分２５ｂは嵌合溝４１に嵌まっているため、ワイヤガイドピース４０が樹脂ピース保持部２５（スライダベース２０）から外れることはない。また、ワイヤガイドピース４０自体のスライダベース２０上の位置は、上側ワイヤエンド保持部２４から円筒状ワイヤ支持面４３を経て下方のガイドプーリ１４に至る駆動ワイヤ１７または１８が下側ワイヤエンド保持部２６を含むスライダベース２０のいずれの部分にも接触することがなく、同様に、下側ワイヤエンド保持部２６から円筒状ワイヤ支持面４３を経て上方のガイドプーリ１３に至る駆動ワイヤ１７または１８が上側ワイヤエンド保持部２４を含むスライダベース２０のいずれの部分にも接触することがないように定められている。
【００２２】
上記構成の本ワイヤ式ウィンドレギュレータは従って、組立にあたっては、スライダベース２０の上端部にスライダ３０のフック部３２を掛け止めた状態で、かしめピン穴３５から固定穴２２ａにかしめピン３６を挿入してかしめて、該スライダ３０を固定する。そしてそのネック部３１をガイドレール１０の幅狭開口部１０ａに位置させ、摺動部３４をガイドレール１０に摺動自在に嵌める。スライダベース２０のガラス支持面２１には窓ガラスＷを固定する。
【００２３】
また、樹脂ピース保持部２５の表裏平面平行部分２５ｂをワイヤガイドピース４０の嵌合溝４１に嵌め、表裏平面直交部分２５ａを当付面４２に当接させた状態で、スライダベース２０の下方から導かれる駆動ワイヤ１７または１８の先端の円柱状ニップル１９をスライダベース２０の上側ワイヤエンド保持部２４に支持し、上方から導かれる駆動ワイヤ１７または１８の先端の円柱状ニップル１９を下側ワイヤエンド保持部２６に支持する。すなわち、円柱状ニップル１９の一端部を開放支持穴２４ｄ（２５ｄ）から完全支持穴２４ｃ（２６ｃ）に挿入し、その後、該支持穴を中心に上又は下に回動させる。すると、上下の円柱状ニップル１９から出る駆動ワイヤ１７と１８がワイヤガイドピース４０部分で交差し、円筒状ワイヤ支持面４３に押し付けられる。この力により、当付面４２が表裏平面直交部分２５ａに当接する。このとき嵌合溝４１と表裏平面平行部分２５ｂとの嵌合関係で、ワイヤガイドピース４０の窓ガラスＷの表裏平面と直交する方向の抜けが防止される。
【００２４】
上側と下側のワイヤエンド保持部２４と２６は、窓ガラスＷの表裏平面と直交する方向に離隔しているので、この状態では、駆動ワイヤ１７と１８は円筒状ワイヤ支持面４３上の異なる位置に接触して互いに当接することがない。また、円柱状ニップル１９を上側と下側のワイヤエンド保持部２４と２６に係止する際には、ワイヤ端部保護部１９ａがスライダベース２０のいずれかの部分に当接するが、駆動ワイヤ１７（１８）が当接することはない。よって、露出している駆動ワイヤ１７（１８）に組立時に傷がつくことを防止でき、長期の使用によっても駆動ワイヤ１７（１８）が発錆して弱化することがない。
【００２５】
そして、図１の組立完了状態で正逆巻取駆動ユニット１６を正逆に駆動すると、駆動ワイヤ１７の一方が巻取ドラム１６ａから繰り出され、他方が巻き取られ、左右のガイドレール１０に摺動自在に支持されたスライダ３０（摺動部３４）を有するスライダベース２０（窓ガラスＷ）が同時に同方向に移動し、窓ガラスＷが開閉される。このとき、スライダベース支持面２２とワイヤエンド保持部２４（２６）（駆動ワイヤ１７（１８））との間にはオフセットが存在するため、スライダ３０にはスライダベース２０（ガラス支持面２１）から離れようとする力が加わるが、スライダ３０はスライダ支持面２２に沿う延長部３３と、スライダ支持面２２の上端部に係止されるフック部３２とを有するため、この力によく抵抗する。
【００２６】
以上の実施形態では、スライダ３０のフック部３２を、かしめピン穴３５の上方のみに設けたが、同様のフック部を上下にあるいは下方のみに設けてもよい。また、フック部３２をかしめピンに代えてもよいが、フック部を設ける方が組立作業性がよいという利点がある。
【００２７】
また、以上の実施形態では、本発明を車両のバックドアに適用したが、本発明は車両の左右の開閉ドアにも同様に適用できる。左右ドアへ適用した態様では、一対のガイドレール１０は車両の前後方向に位置することになるが、ガイドレールをドアの幅方向に離隔して設けるという概念では一致する。また、図示例では、スライダベース２０に直接窓ガラスＷを固定しているが、ブラケットを介在させてもよいことは勿論である。
【００２８】
【発明の効果】
本発明によれば、スライダのスライダベースに対する固定強度を高めることができ、長期の使用によっても、スライダがスライダベースに対してがたつき、あるいは脱落するおそれのないワイヤ式ウィンドレギュレータを得ることができる。
【図面の簡単な説明】
【図１】本発明によるワイヤ式ウィンドレギュレータの一実施形態を示す正面図である。
【図２】図１のワイヤ式ウィンドレギュレータのスライダベース部分の拡大断面図である。
【図３】図２のIII‐III線に沿う断面図である。
【図４】図２のIV‐IV線に沿う断面図である。
【図５】図２のV‐V線に沿う断面図である。
【図６】図２のVI矢視図である。
【図７】図１、図２のVII矢視拡大平面図である。
【図８】ワイヤエンドの平面図である。
【図９】図８のIX‐IX線に沿う断面図である。
【図１０】本発明によるワイヤ式ウィンドレギュレータの要部の分解斜視図である。
【符号の説明】
１０  ガイドレール
１１  上ブラケット
１２  下ブラケット
１３  １４  ガイドプーリ（ワイヤガイド部材）
１５  駆動ユニットブラケット
１７  １８  駆動ワイヤ
１７ａ  １８ａ  アウタケーシング
１７ｂ  １８ｂ  エンドブラケット
１９  円柱状ニップル
１９ａ  ワイヤ端部保護部
２０  スライダベース
２１  ガラス支持面
２２  スライダ支持面
２３  ワイヤ支持部
２４  上側ワイヤエンド保持部
２６  下側ワイヤエンド保持部
２４ａ  ２４ｂ  ２６ａ  ２６ｂ  平行部分
２４ｃ  ２６ｃ  完全支持穴
２４ｄ  ２６ｄ  開放支持穴
２５  樹脂ピース保持部
２５ａ  表裏平面直交部分
２５ｂ  表裏平面平行部分
２５ｃ  切起し片形成穴
３０  スライダ
３１  ネック部
３２  フック部
３３  延長部（補強リブ）
３４  摺動部
３５  かしめピン穴
３６  かしめピン
４０  ワイヤガイドピース
４１  嵌合溝
４２  当付面
４３  円筒状ワイヤ支持面
４４  外れ防止突起
４５  傾斜保護面
４６  挿入溝
４７  抜け止め爪
Ｗ  窓ガラス
【図１】
2004204551.tif 000003
【図２】
2004204551.tif 000004
【図３】
2004204551.tif 000005
【図４】
2004204551.tif 000006
【図５】
2004204551.tif 000007
【図６】
2004204551.tif 000008
【図７】
2004204551.tif 000009
【図８】
2004204551.tif 000010
【図９】
2004204551.tif 000011
【図１０】
2004204551.tif 000012